(57)【要約】【課題】  揺動レバー上にて、上下に配備した第１施療指と第２施療指とによって、被施療者の肩を、指圧師の指の動きの様に、掴み揉みさせる。【解決手段】  揺動可能にシャーシ21上に配備された左右一対の揺動レバー100の夫々に、第１施療指200と第２施療指300を、接近離間可能に配備し、第１施療指200と第２施療指300に、揺動レバー100の揺動動作を第１施療指200と第２施療指300の接近離間運動に変換する運動変換手段400に連繋する。第１施療指200と第２施療指300が接近して被施療者の肩を掴み、離間して掴みを解放することにより、指圧師の掴み揉みの動作に近づけることができる。【選択図】  図１４
2005237662.tif 000002
【特許請求の範囲】
【請求項１】
シャーシ(21)上に揺動可能に配備された第１施療指(200)と、第１施療指(200)を揺動させる揺動駆動手段と、第１施療指(200)の揺動に連動して該第１施療指(200)に対して接近離間する様に揺動可能に配備され第１施療指(200)と協調して被施療者の患部を掴み揉み可能な第２施療指(300)とによって構成されたマッサージユニット。
【請求項２】
シャーシ(21)上に揺動可能に配備された左右一対の揺動レバー(100)の夫々に、第１施療指(200)と第２施療指(300)を、被施療者の患部を掴み揉みする様に互いに接近離間可能に配備し、第１施療指(200)と第２施療指(300)に、揺動レバー(100)の揺動動作を第１施療指(200)と第２施療指(300)の接近離間運動に変換する運動変換手段(400)に連繋したマッサージユニット。
【請求項３】
揺動レバー(100)の自由端側に第１施療指(200)と第２施療指(300)を回動可能に支持し、回動角度規制手段(401)によって第１施療指(200)の揺動レバー(100)に対する相対的な回動角度を規制すると共に、第１施療指(200)に突設したピン(203)を、第２施療指(300)に開設した凹条(303)にスライド可能に嵌めて運動変換手段(400)を構成している請求項２に記載のマッサージユニット。
【請求項４】
揺動レバー(100)の自由端側に第１施療指(200)を回動可能に支持し、回動角度規制手段(401)によって第１施療指(200)の揺動レバー(100)に対する相対的な回動角度を規制すると共に、揺動レバー(100)に突設したピン(103)を、第２施療指(300)に開設した長孔(207)にスライド可能に嵌め、第１施療指(200)に突設したピン(203)を、第２施療指(300)に開設した凹条(303)にスライド可能に嵌めて運動変換手段(400)を構成している請求項２に記載のマッサージユニット。
【請求項５】
揺動レバー(100)の自由端側に第１施療指(200)を回動可能に支持し、回動角度規制手段(401)によって第１施療指(200)の揺動レバー(100)に対する相対的な回動角度を規制すると共に、第１施療指(200)に第２施療指(300)を回動可能に支持し、揺動レバー(100)に突設したピン(103)を、第２施療指(300)に開設した凹条(303)にスライド可能に嵌めて運動変換手段(400)を構成している請求項２に記載のマッサージユニット。
【請求項６】
揺動レバー(100)の自由端側に第１施療指(200)と第２施療指(300)を回動可能に支持し、回動角度規制手段(401)によって第１施療指(200)の揺動レバー(100)に対する相対的な回動角度を規制すると共に、第１施療指(200)と第２施療指(300)をリンク(205)によって枢支連結して運動変換手段(400)を構成している請求項２に記載のマッサージユニット。
【請求項７】
揺動レバー(100)の自由端側に第１施療指(200)と第２施療指(300)を回動可能に支持し、回動角度規制手段(401)によって第１施療指(200)の揺動レバー(100)に対する相対的な回動角度を規制すると共に、第１施療指(200)と第２施療指(300)に、互いに逆方向に回転する様に噛合うギア部(206)(305)を形成して回動角度規制手段(401)を構成している請求項２に記載のマッサージユニット。
【請求項８】
メインシャーシ(21)上に回転可能に配備され軸心に対して互いに逆方向に傾いた２つの出力軸部(40a)(40a)を有する揉み軸(40)の該出力軸部の夫々に揺動レバー(100)の基端側が回転可能に支持され、第１施療指(200)とシャーシ(21)とが回動角度規制手段(401)である両端自在継手のロッド(402)によって枢支連結されており、揉み軸(40)の回転によって、左右の第１施療指(200)(200)及び第２施療指(300)(300)が互いに接近離間する請求項２乃至７の何れかに記載のマッサージユニット。
【請求項９】
メインシャーシ(21)上に回転可能に配備され軸心に対して偏芯した出力軸部(40a)(40a)を有する揉み軸(40)の該出力軸部(40a)(40a)の夫々に揺動レバー(100)の基端側が回転可能に支持され、第１施療指(200)とシャーシ(21)とが回動角度規制手段(401)である両端自在継手のロッド(402)によって枢支連結されており、揉み軸(40)の回転によって、第１施療指(200)(200)及び第２施療指(300)(300)が互いに接近離間する請求項２乃至８の何れかに記載のマッサージユニット。
【請求項１０】
第１施療指(200)及び第２施療指(300)は、夫々は患部を押圧する押圧子(202)(302)を有し、第２施療指(300)の押圧子(302)は、第１施療指(200)の押圧子(202)よりも横幅が小さい請求項１乃至９の何れかに記載のマッサージユニット。
【請求項１１】
第２施療指(300)上の押圧子(302)の横幅中心は、第１施療指(200)上の押圧子(202)の横幅中心よりも内側に位置している請求項１０に記載のマッサージユニット。
【請求項１２】
被施療者が腰掛ける座部(11)の後方に配備された背凭れ(12)と、
該背凭れ(12)に沿って、上下方向に往復移動可能に配備された請求項１乃至１１の何れかに記載のマッサージユニット(20)と、
を具える椅子型マッサージ機。
【請求項１３】
マッサージユニット(20)は、第１施療指(200)及び第２施療指(300)を含む揺動レバー(100)の自由端を背凭れ(12)よりも前方に移動させるせり出し機構(60)に連繋されている請求項１２に記載の椅子型マッサージ機。
【発明の詳細な説明】
【技術分野】
【０００１】
本発明は、第１施療指と第２施療指を接近離間させて、被施療者の肩を掴み揉みできるマッサージユニット及び該ユニットを含む椅子型マッサージ機に関するものである。
【背景技術】
【０００２】
第１施療指と、第２施療指が別個の駆動源によって駆動され、互いの協調動作(共同動作)によって被施療者の肩を揉むマッサージ機が知られている(特許文献１)。
又、左右に対向配備した施療指を互いに接近離間する様に揺動させて、患部を挟みつけ或いは擦る様に揉むマッサージ機も知られている(特許文献２)。
【０００３】
【特許文献１】特開平９−３１３５５９号公報
【特許文献２】特開２００２−２３３５５９号公報
【発明の開示】
【発明が解決しようとする課題】
【０００４】
前者のマッサージ機は、駆動源の数が増えてコスト高となる。又、第１施療指と第２施療指の協調動作の制御が複雑となる。
後者のマッサージ機は、指圧師が手指で被施療者の肩を掴み揉みする様な動きは出来ない。
本発明は、第１施療指と第２施療指が互いに接近離間を繰り返し、この動作によって被施療者の肩を掴み揉みできるマッサージユニット提供することを課題とする。
【課題を解決するための手段】
【０００５】
本発明の請求項１のマッサージユニットは、シャーシ(21)上に揺動可能に配備された第１施療指(200)と、第１施療指(200)を揺動させる揺動駆動手段と、第１施療指(200)の揺動に連動して該第１施療指(200)に対して接近離間する様に揺動可能に配備され第１施療指(200)と協調(共同)して被施療者の患部を掴み揉み可能な第２施療指(300)とによって構成される。
本発明の請求項２のマッサージユニットは、シャーシ(21)上に揺動可能に配備された左右一対の揺動レバー(100)の夫々に、第１施療指(200)と第２施療指(300)を、被施療者の患部を掴む様に互いに接近離間可能に配備し、第１施療指(200)と第２施療指(300)に、揺動レバー(100)の揺動動作を第１施療指(200)と第２施療指(300)の接近離間運動に変換する運動変換手段(400)に連繋して構成される。
【０００６】
又、本発明の椅子型マッサージ機は、被施療者が腰掛ける座部(11)の後方に配備された背凭れ(12)に沿って、上記マッサージユニット(20)を上下方向に往復移動可能に配備して構成される。
【発明の効果】
【０００７】
請求項１の場合、第１施療指(200)と第２施療指(300)が、被施療者の肩を揉むことが可能な位置にくる様に、マッサージユニット(20)をセットする。揺動駆動手段によって第１施療指(200)が揺動させると、それに連動して第１施療指(200)に接近と離間を繰り返す様に第２施療指(300)が揺動し、両施療指(200)(00)が接近するとき肩の筋肉が掴まれ、離間するとき掴みが解放される。この動作は、指圧師が肩を掴み揉みするときの動きと同様であって、従来のマッサージ機による叩き動作や、揉み動作では得られないマッサージ効果を得ることができる。
第１施療指(200)を揺動駆動すれば、第２施療指(300)はそれに連動して揺動するため、第２施療指(300)を駆動するための別個の駆動源は不要であり構成の簡素化が図れ、又、製造コストを抑えることができる。
請求項２の場合、揺動レバー(100)を揺動させると、第１施療指(200)と第２施療指(300)も揺動するが、運動変換手段(400)によって、揺動レバー(100)上で、両施療指(200)(300)は接近離間を繰り返す。請求項１と同様にして両施療指が接近するとき肩の筋肉が掴まれ、離間するとき掴みが解放される。
第１施療指(200)と第２施療指(300)の動作の駆動源は、揺動レバー(100)の揺動動作であるから、第１施療指(200)と第２施療指(300)を動作させるために、個別の駆動源は不要であり、請求項１と同様にして、マッサージユニット及びマッサージ機の構成の簡素化が図れ、又、製造コストを抑えることができる。
【発明を実施するための最良の形態】
【０００８】
上記マッサージ動作を行なうことのできるマッサージユニットを具えた椅子型マッサージ機について、一例を挙げて説明する。
椅子型マッサージ機は、図９に示す如く、被施療者が腰掛ける座部(11)の後端に、背凭れ(12)をフレーム等で傾動自在且つ位置決め可能に連結し、背凭れ(12)にマッサージユニット(20)を背凭れ(12)中央部に開設した開口に沿って上下移動可能に配備したものである。マッサージユニット(20)は、背凭れ(12)に被さった当て布やクッション等(図示せず)にて覆われているが、後記する様にマッサージユニット(20)が、背凭れ(12)の内側から外側にせり出すことに支障はない。
以下の説明において、「前」はマッサージユニットが被施療者に向かう側、「後」は被施療者から離れる側をいう。又、「左」はマッサージ機に向かって左側を、「右」はマッサージ機に向かって右側をいう。
又、以下に説明するマッサージユニット(20)は、左右に配備した一対の揺動レバー(100)上の夫々に第１施療指(200)と第２施療指(300)を配備し、左右の第１施療指(200)(200)及び第２施療指(300)(300)を接近離間させて被施療者の患部を左右から挟む様に揉む動作、主に第１施療指(200)(200)で患部を叩く動作、及びこれらを複合した動作が可能であるが、これらは付加的な動作であって、発明の要点は、第１施療指(200)と第２施療指(300)によって、肩や首筋を掴む様に揉む動作ができる点である。
【０００９】
背凭れの内部構成
背凭れ(12)の内部には、図１及び図２に示すように、左右一対のガイドレール(14)が上下方向に平行に配備されている。各ガイドレール(14)(14)は、横断面コ字状であり溝が対向するように配置される。溝の開口縁にラック(16)が刻設されており(図３参照)、ガイドレール(14)(14)には、マッサージユニット(20)が昇降可能に取り付けられている。
【００１０】
マッサージユニット(20)は、図１乃至図３に示すように、メインシャーシ(21)の上下部に突設した４つのローラ(23)(23)(65)(65)がガイドレール(14)(14)に嵌まり、昇降可能となっている。メインシャーシ(21)には、マッサージユニット(20)のすべての構成部品が搭載される。
メインシャーシ(21)の中央には、図３及び図４に示すように、間隔を開けて２枚の補助シャーシ(22)(22)が縦向きに固定されている。
【００１１】
補助シャーシ(22)(22)の下部には、上下用回転軸(24)が回転可能に水平に軸受され、回転軸(24)の両端には、左右のガイドレール(14)まで延びて、夫々の軸端には、ガイドレール(14)に嵌まって転動する下側ローラ(23)及び、ガイドレール(14)の開口縁に形成された前記ラック(16)と噛合するギア(25)を具えている。
メインシャーシ(21)には、上下用モータ(26)が搭載され、該上下用モータ(26)の出力軸は減速手段(27)を介して前記上下用回転軸(24)に連繋している。上下用モータ(26)は、上下用回転軸(24)を回転駆動してギア(25)を回転させ、ガイドレール(14)に沿ってマッサージユニット(20)を昇降させる。
【００１２】
施療指の構造及び揉み、叩き機構
図３乃至図５に示すように、補助シャーシ(22)(22)の略中央に軸支された揉み軸(40)と、該揉み軸(40)の下方に支持された叩き軸(50)に跨って連繋配備された左右一対の揺動レバー(100)の夫々に、第１施療指(200)と第２施療指(300)が配備されている。
揉み軸(40)及び叩き軸(50)は、メインシャーシ(21)に搭載された揉みモータ(41)、叩きモータ(51)に減速手段(42)(52)を介して連繋されている。
揺動レバー(100)の基部は、図４、図５、図１０に示すように、揉み軸(40)上に形成され互いに逆方向に傾斜し且つ偏芯した２箇所の出力軸部(40a)(40a)に回転可能に嵌まって支持されている。揺動レバー(100)の自由端(前端)側は、メインシャーシ(21)の前面に開設された窓孔(21a)から前方に向けて、外拡がりに屈曲して突出している。揺動レバー(100)の自由端は下向き屈曲している。
図１０に示す如く、揺動レバー(100)は後端がロッド(55)(55)によって、後記する叩き軸(50)上の偏心カム(53)に連繋され、揉み軸(40)を中心とする回動、即ち、揺動レバー(100)自由端の上下及び左右の揺動幅が規制されている。
【００１３】
図１０乃至図１２に示す如く、揺動レバー(100)の自由端の上部に第１施療指(200)、下部に第２施療指(300)が、夫々揺動レバー(100)の揺動面と沿う面内で回動可能に配備されている。
第１施療指(200)は、第１回動レバー(201)と、該レバーの自由端に内向きに突設した押圧子(202)とによって構成される。第１回動レバー(201)は、揺動レバー(100)に突設した支軸(102)に回動可能に支持され、押圧子(202)を揺動レバー(100)よりも前方に位置させている。
第２施療指(300)は、バー状の第２回動レバー(301)と、該レバーの一端に内側に突設された押圧子(302)とによって構成される。
第２回動レバー(301)は略中央部が、揺動レバー(100)の前側下端に突設されたピン(103)に、押圧子(302)を下側にして回転可能に嵌まっている。
第２回動レバー(301)の上部には該レバーの長手方向に延びる、溝状、長孔状等の凹条(303)が開設され、該凹条(303)に第１回動レバー(201)に突設したピン(203)がスライド可能に嵌まっている。２つの押圧子(202)(302)の間に、被施療者の肩の筋肉を挟むことが十分に余裕をもって可能な間隔が形成される。
【００１４】
第１施療指(200)の押圧子(202)は、図３に示す様に、扁平ローラ体(202a)を回転可能に第１回動レバー(201)に枢支してもよいが、図１０に示す如く、幅広ローラ体(202b)を横向きにして第１回動レバー(201)に回転可能に枢支した方が、指圧師の手指の第２指から第５指迄の幅間隔に近い揉み感が得られる。
第２施療指(300)は、指圧師の第１指による揉み感に近づけるため、第２回動レバー(301)の先端を内側に少し隆起させて、第１指の幅程度に形成すればよい。
実施例では、図１５に示す如く、揺動レバー(100)(100)の自由端間が最大開いたとき(このとき揺動レバーの自由端は最上位の位置にある)も、図１６に示す如く、最大閉じたとき(このとき揺動レバーの自由端は最下位の位置にある)も、上側の第１施療指(200)の押圧子(202)の幅中心L1よりも、下側の第２施療指(300)の押圧子(302)の幅中心L2が内側に位置する様に押圧子(202)(302)の大きさ及び、後記する揺動レバー(100)の左右の振れ幅が決められている。これは、指圧師が肩を揉むとき、下側の第１指の位置が、上側の第２指以下の指列の幅中心よりも内側に位置することに鑑み、指圧師の揉み感に近づけるためである。
【００１５】
第１施療指(200)には、揺動レバー(100)に対する第１施療指(200)の相対的な回動角度範囲を規制する回動角度規制手段(401)が連繋される。
実施例の回動角度規制手段(401)は、第１回動レバー(201)の後部上端と、メインシャーシ(21)とを、ロッド(402)で枢支連結したものである。
第１回動レバー(201)とメインシャーシ(21)に突設したロッド受け部(204)(82)に、上記ロッド(402)の両端の球状部が回転及び傾動可能に嵌まって自在継手を構成している。
図１４に示す如く、左右の揺動レバー(100)(100)の自由端が互いの間隔を狭めながら下降するとき、ロッド(402)は第１施療指(200)を突っ張って、第１施療指(200)を支軸(102)を中心に揺動レバー(100)に対して反時計方向に回転させる。このとき、第１施療指(200)上のピン(203)が第２施療指(300)を押して、第２施療指(300)をピン(103)を中心に時計方向に回転させる。図１４の状態で、第１施療指(200)の押圧子(202)は最低位置に達し、第２施療指(300)の押圧子(302)は最大前進し、両押圧子(202)(302)間の開き間隔は最小となる。この最小間隔は、被施療者の肩の筋肉を適度に掴むことの出来る間隔である。
図１３に示す如く、左右の揺動レバー(100)(100)が自由端が互いの間隔を拡げながら上昇するとき、ロッド(402)は第１施療指(200)を後方に引っ張って、第１施療指(200)を支軸(102)を中心に揺動レバー(100)に対して時計方向に回転させる。このとき、第１施療指(200)上のピン(203)が第２施療指(300)を押して、ピン(103)を中心に反時計方向に回転させる。図１３の状態で、第１施療指(200)の押圧子(202)は最高位置に達し、第２施療指(300)の押圧子(302)は最大後退し、両押圧子(202)(302)間の開き間隔は最大となる。この最大間隔は、被施療者の肩の掴みを少し余裕のある状態に解除できる間隔である。
【００１６】
前記の如く、揺動レバー(100)(100)は前方へ外拡がりの状態で、且つ偏芯して揉み軸(40)に取り付けられ、前記ロッド(55)によって回転が阻止されているから、揉み軸(40)を一方向に連続回転させると、揺動レバー(100)(100)の自由端が左右、上下、前後に動く。これにより、第１施療指(200)及び第２施療指(300)も左右に揺動し被施療者の患部を擦る様な揉み動作が、上記第１施療指(200)と第２施療指(300)の接近離間運動と複合して行なわれる。
図１５に示す如く、左右の第１施療指(200)(200)が最大開いた状態で、第１施療指(200)(200)は被施療者の肩から首にかけて位置し、図１６に示す如く、左右の第１施療指(200)(200)が最大接近した状態で、被施療者の首を少し押圧できる。
【００１７】
叩き軸(50)には、図４及び図５に示すように、互いに位相が１８０度ずれた偏心カム(53)(53)が枢支されており、両偏心カム(53)(53)は、自在継手(54)(54)とロッド(55)(55)を介して揺動レバー(100)(100)の揉み軸(40)側後端に連結されている。
叩きモータ(51)を一方向に連続回転させると、叩き軸(50)に偏心して連繋されたロッド(55)(55)を介して、揺動レバー(100)(100)が前記揉み軸(40)を中心に先端を大きく上下に振る様に揺動し、主に第１施療指(200)で叩きマッサージを施す。揉み軸(40)と叩き軸(50)を同時に回転させると、揺動レバー(100)は、前後ストローク、上下ストローク、左右ストロークの動きが複合した往復移動を繰り返す。
【００１８】
せり出し機構(60)
上記マッサージユニット(20)には、マッサージユニット(20)を図１及び図２に示すように、前後に移動させるせり出し機構(60)が配備される。せり出し機構(60)として、以下のクランク機構(61)及びリンク機構(70)からなる構成を例示できる。
クランク機構(61)は、図５及び図６に示すように、揉み軸(40)の前方に配備されたクランク軸(62)と、上側のローラ(65)(65)(図６参照)が回転自在に嵌められたクランクピン(64)(64)(図５参照)とを、クランクアーム(63)(63)により接続して構成される。クランクピン(64)(64)は、クランク軸(62)に対して偏心しているため、クランク軸(62)を回転させると、クランクピン(64)(64)がクランク軸(62)を中心として周軌道を描く。なお、図示の実施例では、クランク軸(62)、クランクアーム(63)(63)及びクランクピン(64)(64)は、１本の金属棒から構成しており、図５に示すように、クランク軸(62)(62)を軸受(62a)(62a)によってメインシャーシ(21)に軸支している。
【００１９】
補助シャーシ(22)には、図３に示すように、上下に軸受(22b)(22b)を具える支持片(22a)(22a)が突設されており、軸受(22b)(22b)には、図３、図４及び図６に示すように、せり出し用ネジ軸(67)が枢支されている。該ネジ軸(67)の上端は、プーリやベルトからなる減速手段(68)を介してせり出し用モータ(69)に連繋されている。
せり出し用ネジ軸(67)にはナット(71)が螺合している。ナット(71)は樹脂製とすることができ、樹脂ナット(71)には、図６及び図７に示すようにリンク機構(70)が接続されている。リンク機構(70)は、リンク片(72)とリンク片(78)から構成することができる。
尚、以下では、リンク片(72)は、長手方向に伸縮可能となるように相互にスライド可能に連繋された第１リンク片(73)と第２リンク片(75)から構成した例について説明する。
第１リンク片(73)は、前後方向に傾動可能に樹脂ナット(71)に枢支されており、第１リンク片(73)の基端側近傍には、スライド用軸(74)が突設されている。
第２リンク片(75)は、第１リンク片(73)を両側から挟み込む一対の部材から構成され、夫々長手方向に長孔(76)が開設されている。第２リンク片(75)の長孔(76)には、夫々第１リンク片(73)の前記スライド用軸(74)がスライド可能に嵌まっている。
更に、第２リンク片(75)の先端には、図６に示すように、軸(75a)が突設されており、前記スライド用軸(74)との間にバネ(77)が張設されている。バネ(77)は、第２リンク片(75)を樹脂ナット(71)の方に向けて付勢し、第２リンク片(75)が無負荷の状態では、バネ(77)は、第２リンク片(75)を樹脂ナット(71)側に最も引き寄せた状態となっている。
【００２０】
第２リンク片(75)の軸(75a)には、第３リンク片(78)が枢支されている。第３リンク片(78)は、中央で前方に向けて屈曲し、先端は前記クランク軸(62)に固定されて、第３リンク片(78)とクランク軸(62)は一体に回転する。
【００２１】
樹脂ナット(71)がせり出し用ネジ軸(67)の上側に位置しているときには、第３リンク片(78)が第２リンク片(75)側に引き寄せられており、マッサージユニット(20)(メインシャーシ(21))は最も後傾した位置にある(図１及び図６参照)。
【００２２】
この状態から、せり出し用ネジ軸(67)を回転させて、図７に示すように、樹脂ナット(71)を下側に移動させると(図７中矢印Ａ方向)、樹脂ナット(71)の下方向への移動に伴って、第２リンク片(75)が第３リンク片(78)との枢支部を下向きに引っ張り、第３リンク片(78)がクランク軸(62)を中心として回転する。第３リンク片(78)とクランク軸(62)は固定されているため、クランク軸(62)は、第３リンク片(78)と共に一体回転する。
【００２３】
クランク軸(62)の両端のクランクピン(64)(64)は、ローラ(65)(65)によってガイドレール(14)(14)に沿ってのみ移動可能であり、前後には移動しないから、クランク軸(62)の回転により、マッサージユニット(20)は、上下回転軸(24)を中心として傾動する。上下回転軸(24)は、マッサージユニット(20)の下方に設けられているから、図２に示すように、マッサージユニット(20)の傾動により、第１施療指(200)、第２施療指(300)を含む揺動レバー(100)(100)は前方にせり出す(図７中、矢印Ｂで示す)。
【００２４】
図２の状態から、せり出し用ネジ軸(67)を逆回転させると、樹脂ナット(71)が上側に移動し、上記とは逆に、マッサージユニット(20)は後退し、上下の施療指(200)(300)を含む揺動レバー(100)は背凭れ(12)の内部に引き戻される(図１参照)。引き戻された状態では、背凭れ(12)上の被施療者に対して、第１施療指(200)の押圧子(202)のみが押圧可能な位置にある。
せり出し用ネジ軸(67)の回転、即ち、せり出し用ネジ軸(67)に対する樹脂ナット(71)の位置を調節することによって、マッサージユニット(20)のせり出し量を調節できる。
【００２５】
マッサージユニット(20)のせり出し量は、せり出し量検知手段(79)により検知することができる。せり出し量検知手段(79)として、例えば、図６に示すように、第３リンク片(78)に当接する可変抵抗器(79a)を配備し、該可変抵抗器(79a)によって、第３リンク片(78)の回転角度に伴う抵抗値の変化を測定すればよい。
なお、クランク軸(62)も第３リンク片(78)と一体に回転するから、クランク軸(62)にせり出し量検知手段(79)を設けてもよい。
【００２６】
制御手段(90)
椅子型マッサージ機のすべての制御は、図８に示す制御手段(90)によって行なわれる。制御手段(90)は、マッサージ機の適所に配置され、各モータ(26)(41)(51)(69)を制御するは駆動回路(図示せず)や、マッサージプログラムを記憶したメモリ等を具える。以下に記載するマッサージ動作も、制御手段(90)に記憶されたプログラムから実行される。
【００２７】
本発明のマッサージ動作
図１３に示す如く、マッサージユニット(20)を背凭れ(12)から前方にせり出させ、第１施療指(200)の押圧子(202)と第２施療指(300)の押圧子(302)との間が最大開いた状態で、第１施療指(200)が被施療者の肩の少し上方に位置し、第２施療指(300)は肩の背部に当たる様に、マッサージユニット(20)のせり出し量と、高さ位置を調節する。
上記状態で揉みモータ(41)を駆動して揉み軸(40)を回転させる。
両揺動レバー(100)は、前後、左右運動を加えながら、揉み軸(40)を中心に自由端を上下させる様に揺動する。揺動レバー(100)上の第１施療指(200)と第２施療指(300)も揺動するが、運動変換手段(400)であるロッド(402)は、揺動レバー(100)の自由端が上昇するときは、第１施療指(200)を後方に引っ張って、支軸(102)を中心に揺動レバー(100)に対して時計方向に回転させる。
図１４に示す如く、揺動レバー(100)の自由端が下降するときは、ロッド(402)が第１施療指(200)を前方に突っ張って、第１施療指(200)を支軸(102)を中心に揺動レバー(100)に対して反時計方向に回転させる。
【００２８】
前記の如く、揺動レバー(100)の自由端が上昇位置の状態で、第１施療指(200)の押圧子(202)は高位置にあり、第２施療指(300)の押圧子(302)は後退位置にあって押圧子(202)(302)間の間隔が最大となり(図１３参照)、揺動レバー(100)の自由端が下降位置の状態で、第１施療指(200)の押圧子(202)は低位置にあり、第２施療指(300)の押圧子(302)は前進位置にあるから、押圧子(202)(302)の開き間隔が最小となる(図１４参照)。このため、揉み軸(40)が１回転すると、肩上の押圧子(202)と肩の背部の押圧子(302)が接近して離間する。
両押圧子(202)(302)が接近するとき肩の筋肉が掴まれ、離間するとき掴みが解放される。この動作は、指圧師が肩を掴み揉みするときの動きと同様であって、従来のマッサージ機による叩き動作や、揉み動作では得られないマッサージ効果を得ることができる。
実施例では、前記の如く、図１５に示す如く、左右の揺動レバー(100)(100)の自由端間が最大開いたときも、図１６に示す如く、最大閉じたときも、上側の第１施療指(200)の押圧子(202)の幅中心L1よりも、下側の第２施療指(300)の押圧子(302)の幅中心L2が内側に位置する。更に、上側の押圧子(202)の幅は、手指の第２指から第５指の指列の幅長さにほぼ対応し、下側の押圧子(302)の幅は、第１指の幅と同程度である。このため、指圧師が肩を揉むときに、下側の第１指の位置が、上側の第２指以下の指列の幅中心よりも内側に位置させて掴み揉みするのと同様の揉み感が得られる。
実施例では、左右の揺動レバー(100)(100)間の自由端は、互いの間隔が最も狭まった状態(図１６参照)から間隔を拡げながら上昇し、互いの間隔が最も拡がった状態(図１５参照)から間隔を狭めながら下降するため、肩や首筋の外側から内側に向けて肩や首筋を掴んで、マッサージ師が手で肩や首筋を掴み揉みする様なマッサージ感を得ることができる。
【００２９】
本発明の実施において、第１施療指(200)の押圧子(202)が被施療者に当たる押圧力を測定する体圧測定手段(92)をマッサージユニット(20)に具え、体圧測定手段(92)により測定された体圧に基づいて、第１、第２施療指(200)(300)の動作速度を調節することができる。
体圧測定手段(92)として、例えば、前記構成において、第１リンク片(73)に対する第２リンク片(75)のスライド量は、第１施療指(200)に加わる力に対応しているため、図６に示すように、第２リンク片(75)のスライド量を可変抵抗器(79a)等により測定すればよい。施療指(200)(300)が被施療者の肩に当たると、第１施療指(200)は上向きの力を受け、その結果、バネ(77)の付勢力に抗して第２リンク片(75)が上方にスライドする。第２リンク片(75)のスライド量は、可変抵抗器(79a)により検出され、検出値から第１施療指(200)の押圧力を測定できる。
【００３０】
例えば、第１施療指(200)の押圧力が大きいとき、第１施療指(200)は強く被施療者に当たっているから、揉みモータ(41)の回転速度を遅くして、第１施療指(200)と第２施療指(300)によってゆっくりと掴み揉みする制御を行なう。逆に、第１施療指(200)の押圧力が小さいときは、該施療指は被施療者にあまり強く当たっていないから、揉みモータ(41)の回転速度を速くすることが効果的である。
【００３１】
更に、被施療者のマッサージ中における生理量の変化を測定する生理量測定手段(96)を具え、生理量測定手段(96)により測定された生理量に基づいて、揺動レバー(100)、即ち、第１施療指(200)と第２施療指(300)の動作速度を調節するようにしてもよい。生理量として、例えば、心拍数、呼吸数、皮膚の抵抗変化等を例示でき、公知の測定手段により測定することができる。
生理量を測定し、例えば、被施療者がリラックスしていることが判った場合には、揺動レバー(100)を速い速度で揺動させ、第１施療指(200)と第２施療指(300)の接近離間の動作を速く、緊張状態にある場合には揺動レバー(100)を遅く揺動させ、第１施療指(200)と第２施療指(300)の接近離間の動作を遅くする。
【００３２】
又、被施療者が椅子型マッサージ機の操作を行なうための操作部(98)(図８参照)に、揉みモータ(41)又は叩きモータ(51)の回転速度を手動で変えることができるボタンを配備し、該ボタンによって、被施療者が自分の好みに合わせて、手動で施療指(200)(300)による掴み速度を変えるようにしてもよい。
実施例の場合、上記動作中、揉み軸(40)の１回転毎に、揺動レバー(100)(100)は接近(図１６参照)と離間(図１５参照)を繰り返すため、掴み揉みに加えて、肩を左右に擦すると共に被施療者の首を両側から挟んでマッサージする効果も奏することができる。
【００３３】
第１施療指(200)の押圧子(202)と、第２施療指(300)の押圧子(302)の間隔を最小にして、患部を掴んだ状態で、揉みモータ(41)を一旦停止し、上下用モータ(26)を駆動して、マッサージユニット(20)を２〜３cm上昇させる。次に上下用モータ(26)を停止し、２〜３秒後に揉みモータ(41)を再起動させ、両押圧子(202)(302)の間隔を拡げて、掴み状態を解放する。そして上下用モータ(26)を逆方向に回転させて、マッサージユニット(20)を下降させ、元位置に戻す。この動作を繰り返すことにより、患部を繰り返し掴み上げることができ、一層効果的な摘みマッサージを実現できる。
【００３４】
付加的な叩きマッサージ動作
マッサージユニット(20)を背凭れ(12)内に収容し、第１施療指(200)の押圧子(202)のみが、被施療者を押圧可能な状態にし、更に上下用モータ(26)をによって該押圧子(202)が、被施療者の、背中や腰の患部に位置する様に、マッサージユニット(20)の高さを調節する。叩きモータ(51)を駆動して叩き軸(50)を回転させる。揺動レバー(100)の後端は、叩き軸(50)上の偏心カム(53)(53)とロッド(55)にて枢支連結されているため、叩き軸(50)の回転毎に、揺動レバー(100)が一回前後に移動する。これが、被施療者の背中を叩くマッサージ動作となる。
又、上下用モータ(26)を駆動してマッサージユニット(20)を昇降させることにより、押圧子(202)が被施療者に強く押し当てられた状態のローリングマッサージを施すことができる。
又、第２施療指(300)上の押圧子(302)を、図３に示す扁平ローラ体(202a)の様に、角部のない被施療者にやさしい形状とすることにより、第１施療指(200)と第２施療指(300)の押圧子(202)(302)が同時に被施療者の背中に当たる様にしてもよいのは勿論である。
上記動作に加えて、揉み軸(40)も回転させて、前記掴み揉みの動きを付加することもできる。
【００３５】
第１、第２施療指の取付けの第２実施例(図１７、図１８)
前記同様のメカニズムによって揺動し、且つ揺動角度範囲が規制された揺動レバー(100)の自由端側に、支軸(102)によって回動可能に第１施療指(200)を支持する。以下の第３乃至第５実施例も同様である。
バー状の第２施療指(300)の略中央部に該施療指の長手方向と略直交して開設した短い長孔(207)に、揺動レバー(100)の前側下部に突設したピン(103)をスライド可能に嵌め、第２施療指(300)を縦向きに支持する。第２施療指(300)の前記凹条(303)に、第１施療指(200)上のピン(203)をスライド可能に嵌める。
図１７が、第１施療指(200)上の押圧子(202)と第２施療指(300)の押圧子(302)の間が最大に開いて、被施療者の肩の掴みを解放した状態、図１８が押圧子(202)(302)の間が最大に閉じて肩を掴んだ状態を示している。
前記１３図に示す第１実施例と比べて、揺動レバー(100)上のピン(103)が該第２施療指(300)を回転可能のみならず、長孔(207)の長さ分だけ前後に余裕の有る状態に支持している違いがある。この違いによって、第２施療指(300)は患部にやさしく当たる。
【００３６】
第１、第２施療指の取付けの第３実施例(図１９、図２０)
第２施療指(300)の略中央にて該施療指の長手方向に凹条(303)を開設し、該凹条(303)に揺動レバー(100)上のピン(103)をスライド可能に嵌める。又、第２施療指(300)は第１施療指(200)上のピン(203)で枢支されている。
揺動レバー(100)の自由端が上昇するとき、前記同様にして第１施療指(200)は揺動レバー(100)に対して支軸(102)を中心に時計方向に回転する。このとき、第１施療指(200)上のピン(203)が、揺動レバー(100)上のピン(103)を中心に第２施療指(300)を反時計方向に回転させる。この状態で、第１施療指(200)の押圧子(202)は最高位置に達し、第２施療指(300)の押圧子(302)は最大後退し、両押圧子(202)(302)間の開き間隔は最大となる(図１９参照)。
揺動レバー(100)の自由端が下降するとき、前記の如く、第１施療指(200)は揺動レバー(100)に対して支軸(102)を中心に反時計方向に回転する。第１施療指(200)の反時計方向の回転により、該施療指上のピン(203)が、揺動レバー(100)上のピン(103)を中心に第２施療指(300)を時計方向に押して回転させる。この状態で、第１施療指(200)の押圧子(202)は最低位置に達し、第２施療指(300)の押圧子(302)は最大前進し、両押圧子(202)(302)間の開き間隔は最小となる(図２０参照)
。
【００３７】
第１、第２施療指の取付けの第４実施例(図２１、図２２)
揺動レバー(100)の自由端下部にピン(103)によって第２施療指(300)を回転可能に下向きに支持する。
第１施療指(200)と第２施療指(300)をリンク(205)で枢支連結する。リンク(205)の第１施療指(200)側の枢支部(205a)は、第１施療指(200)を支持する支軸(102)より後方に位置し、リンク(205)の第２施療指(300)側の枢支部(205b)は、第２施療指(300)を支持するピン(103)よりも上方で該ピン(103)の近傍に位置している。
揺動レバー(100)の自由端が上昇するとき、前記同様にして第１施療指(200)は揺動レバー(100)に対して支軸(102)を中心に時計方向に回転する。この回転によって、リンク(205)が第２施療指(300)を押して、第２施療指(300)を揺動レバー(100)上のピン(103)を中心に反時計方向に回転させる。この状態で、第１施療指(200)の押圧子(202)は最高位置に達し、第２施療指(300)の押圧子(302)は最大後退し、両押圧子(202)(302)間の開き間隔は最大となる(図２１参照)。
揺動レバー(100)の自由端が下降するとき、前記の如く、第１施療指(200)は揺動レバー(100)に対して支軸(102)を中心に反時計方向に回転する。この回転によりリンク(205)が第２施療指(300)を引っ張って、第２施療指(300)を揺動レバー(100)上のピン(103)を中心に時計方向に回転させる。この状態で、第１施療指(200)の押圧子(202)は最低位置に達し、第２施療指(300)の押圧子(302)は最大前進し、両押圧子(202)(302)間の開き間隔は最小となる(図２２参照)。
【００３８】
第１、第２施療指の取付けの第５実施例(図２３)
揺動レバー(100)の自由端下部にピン(103)によって第２施療指(300)を回転可能に下向きに支持する。
第１施療指(200)と第２施療指(300)の夫々の回転中心を円弧中心とし、互いに逆方向に回転する様に噛合うギア部(206)(305)を形成している。
揺動レバー(100)の自由端が上昇するとき、前記同様にして第１施療指(200)は揺動レバー(100)に対して支軸(102)を中心に時計方向に回転する。この回転によって、第１施療指(200)とギア噛合した第２施療指(300)は反時計方向に回転する。この状態で、第１施療指(200)の押圧子(202)は最高位置に達し、第２施療指(300)の押圧子(302)は最大後退し、両押圧子(202)(302)間の開き間隔は最大となる。
揺動レバー(100)の自由端が下降するとき、前記の如く、第１施療指(200)は揺動レバー(100)に対して支軸(102)を中心に反時計方向に回転する。この回転により第１施療指(200)とギア噛している第２施療指(300)が時計方向に回転する。この状態で、第１施療指(200)の押圧子(202)は最低位置に達し、第２施療指(300)の押圧子(302)は最大前進し、両押圧子(202)(302)間の開き間隔は最小となる。
【００３９】
尚、上記実施例では、揺動レバー(100)(100)の基端が回転可能に嵌まった出力軸部(40a)(40a)は、揉み軸(40)上に互いに逆方向に傾斜し、且つ偏芯しており、揉み軸(40)の回転により揺動レバー(100)(100)を上下、前後、左右に揺動させ、この揺動によって第１施療指(200)と第２施療指(300)を接近離間運動させている。
しかし、出力軸部(40a)(40a)は偏芯していなくても、傾斜しているだけでもよい。
この場合、揺動レバー(100)は左右に揺動し、両揺動レバー(100)(100)の間隔が拡がったとき、図１３の様に両第１、第２施療指(200)(300)の間隔が拡がる。両揺動レバー(100)(100)の間隔が狭くなったとき、図１４に示す様に、両施療指(200)(300)の間隔は狭くなる。
上記とは逆に、出力軸部(40a)(40a)は傾斜していなくて、偏芯しているだけでもよい。この場合、揺動レバー(100)は、上下、前後に移動し、上方且つ後方に揺動したとき、図１３に示す様に、両施療指(200)(300)の間隔は拡がり、下方、且つ前方に揺動したときは、図１４に示す様に、両施療指(200)(300)の間隔は狭くなる。
【００４０】
又、上記実施例の構成によると、せり出し用モータ(69)によって、マッサージユニット(20)を前後に移動させるだけでも、第１施療指(200)と第２施療指(300)は接近離間運動する。
図１に示す様に、マッサージユニット(20)が後方に位置しているときは、第１施療指(200)と第２施療指(300)の間隔は拡がり、図２に示す如く、マッサージユニット(20)が前方へせり出した状態では、第１施療指(200)と第２施療指(300)の間隔は狭まる。
本発明は、要は、第１施療指(200)を回動させ、その動きに連動して第２施療指(300)が第１施療指(200)に対して接近離間する様に動作すればよく、第１施療指(200)を専用のモータで回動させるようにしてもよい。
又、揉みモータ(41)とせり出し用モータ(69)を同時に駆動することにより、更には上下駆動用モータ(26)も含めて同時に駆動することにより、より複雑な運動が加わった掴みマッサージが可能となる。
【００４１】
又、上記実施例は、揺動レバー(100)の揺動によって第１施療指(200)と第２施療指(300)を揺動させたが、揺動レバー(100)を省略することができる。この場合、シャーシ(21)に第１施療指(200)を回動可能に枢支して、該第１施療指(200)にモータ等の揺動駆動手段を連繋し、前記各実施例における揺動レバー(100)をシャーシ(21)に置き換えて、第１施療指(200)と第２施療指(300)を、両施療指(200)(300)が協調して被施療者の患部を掴み揉み可能なメカニズムで連繋すればよい。
【００４２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００４３】
【図１】マッサージユニットを背凭れに収容した状態を示す断面図である。
【図２】マッサージユニットを前方にせり出した状態を示す断面図である。
【図３】マッサージユニットの背面図である。
【図４】マッサージユニットを右斜め後方から見た斜視図である。
【図５】マッサージユニットの要部を取り出して示す斜視図である。
【図６】マッサージユニットを左斜め後方から見た斜視図である。
【図７】マッサージユニットの要部を取り出して示す断面図である。
【図８】制御手段のブロック図である。
【図９】椅子型マッサージ機の概略斜面図である。
【図１０】揺動レバー、第１施療指、第２施療指の分解斜視図である。
【図１１】揺動レバー、第１施療指、第２施療指の組立斜視図である。
【図１２】シャーシ上に、左右に一対の揺動レバーが配備された斜視図である。
【図１３】第１実施例の第１施療指と第２施療指が開いた状態の側面図である。
【図１４】同上の第１施療指と第２施療指が閉じた状態の側面図である。
【図１５】第１実施例の左右の揺動レバーが開いた状態の平面図である。
【図１６】同上の左右の揺動レバーが閉じた状態の平面図である。
【図１７】第２実施例の第１施療指と第２施療指が開いた状態の側面図である。
【図１８】同上の第１施療指と第２施療指が閉じた状態の側面図である。
【図１９】第３実施例の第１施療指と第２施療指が開いた状態の側面図である。
【図２０】同上の第１施療指と第２施療指が閉じた状態の側面図である。
【図２１】第４実施例の第１施療指と第２施療指が開いた状態の側面図である。
【図２２】同上の第１施療指と第２施療指が閉じた状態の側面図である。
【図２３】第５実施例の同上の第１施療指と第２施療指が開いた状態の側面図である。
【符号の説明】
【００４４】
(20)  マッサージユニット
(40)  揉み軸
(50)  叩き軸
(100)  揺動レバー
(200)  第１施療指
(202)  押圧子
(300)  第２施療指
(302)  押圧子
(400)  運動変換手段
(401)  回動角度規制手段
【図１】
2005237662.tif 000003
【図２】
2005237662.tif 000004
【図３】
2005237662.tif 000005
【図４】
2005237662.tif 000006
【図５】
2005237662.tif 000007
【図６】
2005237662.tif 000008
【図７】
2005237662.tif 000009
【図８】
2005237662.tif 000010
【図９】
2005237662.tif 000011
【図１０】
2005237662.tif 000012
【図１１】
2005237662.tif 000013
【図１２】
2005237662.tif 000014
【図１３】
2005237662.tif 000015
【図１４】
2005237662.tif 000016
【図１５】
2005237662.tif 000017
【図１６】
2005237662.tif 000018
【図１７】
2005237662.tif 000019
【図１８】
2005237662.tif 000020
【図１９】
2005237662.tif 000021
【図２０】
2005237662.tif 000022
【図２１】
2005237662.tif 000023
【図２２】
2005237662.tif 000024
【図２３】
2005237662.tif 000025